(57)【特許請求の範囲】
【請求項１】
平面横長矩形の形状にして外周を同一高さの起立壁によって囲繞するとともに底面を前後に段差状とし該底面の後部を平坦な固定面、前部を底上げ段部とし且つ前後に対向する起立壁の上下中間位置に該起立壁を相互に連結した引寄せ連結ボルトを設置した樹脂製又は金属製の花壇テーブルと、該花壇テーブルの横幅と略同長にして上面にその上記平坦な固定面を載置し前後方向に張出設置した張出固定条に対して長手方向複数箇所で締着固定することによって花壇テーブルの後部を幅方向一連に下支え支持した水平支持枠と、該水平支持枠両端を架設固定して上記花壇テーブルを地表から離隔した所定高さに設置することによって花壇テーブルの上記底上げ段部の下方空間を両側開放の車椅子進入スペースとする左右に一対の支柱とを備えるとともに上記左右に一対の支柱への水平支持枠両端の架設固定を、上記支柱の対向面側上端に切欠き設置した上向き開口の切欠き孔への水平支持枠両端の嵌合支持と上記支柱に設置したブラケットによる水平支持枠両端の嵌合支持とを併用して行なうとともに上記ブラケットを垂直の支柱支持片と該支柱支持片上端に水平に配置した上向き開口コ字状の受座とを具備して形成し、その支柱支持片を上記切欠き孔から支柱内に挿入固定し且つ上記受座を上記切欠き孔から支柱対向方向に突出するように支柱に該ブラケットを設置し、上記切欠き孔への水平支持枠両端の嵌合支持を該ブラケット上にこれを介して行なうとともに上記ブラケットへの嵌合支持をそのコ字状の受座に水平支持枠両端を嵌合して行ない且つこれら水平支持枠と受座とを締着固定することによって行なってなることを特徴とする車椅子利用者用花壇。
【請求項２】
上記花壇テーブルの底面に保水パネルを敷設配置するとともに該保水パネルのオーバーフロー水を排水する排水孔を花壇テーブルの幅方向端部に透設し、該排水孔からの排水パイプを上記左右に一対のうち一方の支柱に添設支持してなることを特徴とする請求項１に記載の車椅子利用者用花壇。
【請求項３】
上記左右に一対の支柱を、下端を地中埋込設置用の埋込支柱とすることによって定位置設置用としてなることを特徴とする請求項１又は２に記載の車椅子利用者用花壇。
【請求項４】
上記左右に一対の支柱を、下端にキャスター付きスタンドを固定するとともに上下中間位置に補強横桟を架設固定したキャスター付き支柱とすることによって可動設置用としてなることを特徴とする請求項１及び２に記載の車椅子利用者用花壇。
【発明の詳細な説明】
【０００１】
【発明の属する技術分野】
本発明は固定設置又は可動設置の花壇に関し、特に老人擁護施設、病院等に設置して車椅子利用者が草花等植物の植栽を行なえるようにすることによって車椅子利用者が土や植物に親しめるように用いる車椅子利用者用花壇に関する。
【０００２】
【発明が解決しようとする課題】
老人養護施設、病院等で居住し車椅子を利用する必要のある人が、草花等の植栽を行なうことによって、土や植物に直接に触れることによって自然を感じられるようにすることは、その居住生活を豊かにし、精神的に好影響をもたらして回復を促進し得るので、車椅子利用者用の花壇が求められるが、この場合、車椅子利用者が車椅子に座した状態で花壇の奥行方向をカバーするように手が届くようにすること、花壇には土壌を充填するためにその土壌重量によって強度上の問題を招くことなく安定した設置をなし得ること、草花を植栽することによって散水が必要となるが、植栽した植物の根腐れを防止するともにそのための排水を確実になし得ること、固定設置の場合に省スペースのものであるか、必要に応じて設置位置を変更できるように可動として、スペースの占有を可及的に少なくすること等が要求される。
【０００３】
本発明はかかる事情に鑑みてなされたもので、その解決課題とするところは、スペースの占有面積を可及的に抑制するとともに安定した設置をなし得るようにして使い勝手の良好な車椅子利用者用花壇を提供するにある。
【０００４】
【課題を解決するための手段】
上記課題に沿って本発明は、車椅子利用者が車椅子に座した状態で土や草花等に触れられるように土壌を充填する花壇テーブルを支柱によって所定高さに設置するとともに上記花壇テーブルを平面横長矩形としてその設置スペースを可及的に小さくし、また上記花壇テーブルの支柱支持及びこれに用いる水平支持枠の支柱への架設を可及的に簡易な構造によって安定性と強度に優れるようにして、安定した設置をなし得て使い勝手の良好なものとするように、請求項１に記載の発明を、平面横長矩形の形状にして外周を同一高さの起立壁によって囲繞するとともに底面を前後に段差状とし該底面の後部を平坦な固定面、前部を底上げ段部とし且つ前後に対向する起立壁の上下中間位置に該起立壁を相互に連結した引寄せ連結ボルトを設置した樹脂製又は金属製の花壇テーブルと、該花壇テーブルの横幅と略同長にして上面にその上記平坦な固定面を載置し前後方向に張出設置した張出固定条に対して長手方向複数箇所で締着固定することによって花壇テーブルの後部を幅方向一連に下支え支持した水平支持枠と、該水平支持枠両端を架設固定して上記花壇テーブルを地表から離隔した所定高さに設置することによって花壇テーブルの上記底上げ段部の下方空間を両側開放の車椅子進入スペースとする左右に一対の支柱とを備えるとともに上記左右に一対の支柱への水平支持枠両端の架設固定を、上記支柱の対向面側上端に切欠き設置した上向き開口の切欠き孔への水平支持枠両端の嵌合支持と上記支柱に設置したブラケットによる水平支持枠両端の嵌合支持とを併用して行なうとともに上記ブラケットを垂直の支柱支持片と該支柱支持片上端に水平に配置した上向き開口コ字状の受座とを具備して形成し、その支柱支持片を上記切欠き孔から支柱内に挿入固定し且つ上記受座を上記切欠き孔から支柱対向方向に突出するように支柱に該ブラケットを設置し、上記切欠き孔への水平支持枠両端の嵌合支持を該ブラケット上にこれを介して行なうとともに上記ブラケットへの嵌合支持をそのコ字状の受座に水平支持枠両端を嵌合して行ない且つこれら水平支持枠と受座とを締着固定することによって行なってなることを特徴とする車椅子利用者用花壇としたものである。
【０００５】
請求項２に記載の発明は、上記に加えて、植栽した草花等の根腐れを防止するとともにその排水を外観よく安定してなし得るものとするように、これを、上記花壇テーブルの底面に保水パネルを敷設配置するとともに該保水パネルのオーバーフロー水を排水する排水孔を花壇テーブルの幅方向端部に透設し、該排水孔からの排水パイプを上記左右に一対のうち一方の支柱に添設支持してなることを特徴とする請求項１に記載の車椅子利用者用花壇としたものである。
【０００６】
請求項３に記載の発明は、同じく上記に加えて、花壇を安定した固定設置の形態のものとするように、これを、上記左右に一対の支柱を、下端を地中埋込設置用の埋込支柱とすることによって定位置設置用としてなることを特徴とする請求項１又は２に記載の車椅子利用者用花壇としたものである。
【０００７】
請求項４に記載の発明は、同じく上記に加えて、花壇を安定した可動の形態のものとするように、これを、上記左右に一対の支柱を、下端にキャスター付きスタンドを固定するとともに上下中間位置に補強横桟を架設固定したキャスター付き支柱とすることによって可動設置用としてなることを特徴とする請求項１及び２に記載の車椅子利用者用花壇としたものである。
【０００８】
本発明はこれらをそれぞれ発明の要旨として、上記課題解決の手段としたものである。
【０００９】
【発明の実施の形態】
以下図面の例に従って本発明を更に具体的に説明すれば、図１乃至図７においてＡは車椅子利用者用花壇であり、該花壇Ａは、花壇テーブル１０を地表から離隔した所定高さに設置することによって車椅子利用者が花壇テーブル１０に近づいて、車椅子に座した状態で手を伸ばして無理なく草花等を植栽したり、散水したりして、土や草花に触れることができるようにしてある。
【００１０】
花壇Ａは、上記花壇テーブル１０と、水平支持枠３０と、左右に一対の支柱４０とを備えて形成したものとしてあり、花壇テーブル１０は、平面横長矩形の形状にして外周を同一高さの起立壁１１によって囲繞するとともに底面を前後に段差状とし該底面の後部を平坦な固定面１３、前部を底上げ段部１４とし且つ前後に対向する起立壁１１の上下中間位置に該起立壁１１を相互に連結した引寄せ連結ボルト１８を設置した樹脂製又は金属製のものとし、水平支持枠３０は、該花壇テーブル１０の横幅と略同長にして上面にその上記平坦な固定面１３を載置し前後方向に張出設置した張出固定条３２に対して長手方向複数箇所で締着固定することによって花壇テーブル１０の後部を幅方向一連に下支え支持したものとし、支柱４０は、該水平支持枠３０両端を架設固定して上記花壇テーブル１０を地表から離隔した所定高さに設置することによって花壇テーブル１０の上記底上げ段部１４の下方空間を両側開放の車椅子進入スペース６０とする左右に一対のものとしてある。
【００１１】
本例にあって花壇テーブル１０は、例えば単一乃至複数種の樹脂を流し込み成形することによって一体に成形した樹脂製にして上面開放のボックス状とし、起立壁１１と底面によって画される空間の土壌充填部１２に図示省略の土壌を充填して上記植栽等をなし得るようにしてある。
【００１２】
花壇テーブル１０の底面は、後部の平坦な固定面１３と前部の底上げ段部１４とによって前後に２段に形成してあり、本例における固定面１３と底上げ段部１４は、例えば６０乃至７０ｃｍ程度の奥行を略２分するように奥行幅を設定し、底上げ段部１４位置で上記土壌充填部１２の深さを１５ｃｍ程度に設定して該底上げ段部１４部分においても草花等の植栽をなし得るようにしてある。
【００１３】
このとき花壇テーブル１０の上記前後に対向する起立壁１１間には所定間隔に長尺のボルトを架設してその両端にナットを締着することによって、土壌を充填した際に、花壇テーブル１０の材質によって起立壁１１が前後に広がるのを防止し、花壇テーブル１０の保形性を確保するように上記引寄せ連結ボルト１８を設置したものとしてある。
【００１４】
花壇テーブル１０には、その底面に保水パネル２０を敷設配置するとともに該保水パネル２０のオーバーフロー水を排水する排水孔１６を花壇テーブルの幅方向端部に透設したものとしてあり、本例にあって該保水パネル２０は、例えば薄肉樹脂によって複数区分の保水材充填部を有して浅いボックス状としたケースと、その上記保水材充填部に充填したパーライト等の粒状の保水材と、上記保水材充填部間のリブ等ケース上面に接着する等して表面に被覆設置した不織布等の透水性フィルターとを備えて、例えば平面矩形乃至方形としたパネル状のものを用い、該保水パネル２０を上記２段形成の底面に据置載置乃至載置固定することによってその敷設を行なったものとしてあり、このとき上記底上げ段部１４の部分における底面は、これをやや後傾するように傾斜面としたことによって該底面に上向きに突出するリブ１５を設置し、該リブ１５を保水パネル２０の上記保水材充填部間のリブ裏面に挿入することによって位置ずれを防止するようにしてある。保水パネル２０は所定量の水を上記保水材に吸収して土壌を湿潤状態に維持して継続的に植物に水分を補給する一方、ケースの容量を越えた水を溢れさせることによってオーバーフローするが、このオーバーフロー水は底面の排水孔１６から外部に排出し得るようにしてあり、本例にあって該排水孔１６は平坦な固定面１３部分の後方コーナー近傍にこれを設置したものとしてある。
【００１５】
水平支持枠３０は、例えばアルミ、スチール等の金属製にして一体又は別体にして水平指示枠３０前後面から前後に張出突出した張出固定条３２を備えた長尺材によるものとしてあり、上記張出固定条３２を花壇テーブル１０とのボルトナット等の固定金具５０による締着部をなすようにしてある。
【００１６】
本例の張出固定条３２は、水平支持枠３０と別体にして該水平支持枠３０上に載置固定したものとしてあり、例えば水平支持枠３０の上端に被嵌状に載置しボルトナット等の固定金具５０によって締着することによってその固定を行なった幅広板材３１によるものとしてあり、水平支持枠３０による花壇テーブル１０の下支え支持は、花壇テーブル１０の平坦の固定面１３を該幅広板材を介して水平支持枠３０上に載置し幅広板材３１の前後に張出突出した上記張出固定条３２との間でボルトナット等固定金具５０の締着固定を行なったものとしてあり、本例にあって該締着は、張出固定条３２の前後位置に一対のボルトナット等固定金具５０を配置する一方、花壇テーブル１０の底面内側に上記張出固定条３２と交差するように厚肉プレート３３を載置し、該厚肉プレート３３によって上記前後位置に一対のボルトナット等固定金具５０を受けるようにして、張出固定条３２と厚肉プレート３３の前後２箇所の締着によって花壇テーブル１０を所定間隔複数箇所でそれぞれ強固に挟着支持するとともに花壇テーブル１０の後部を幅方向一連に下支え支持するように行なったものとしてある。
【００１７】
上記左右に一対の支柱４０は、これを、本例にあって、下端にキャスター４２付きスタンド４１を固定するとともに上下中間位置に補強横桟４３を架設固定したキャスター付き支柱とし、これによって花壇Ａを可動設置用としたものとしてあり、例えばアルミ、スチール等の金属製にして下端に前後方向に突出するスタンド４１を支柱４０の下端に設置するとともに該スタンド４０の前後両端にキャスター４２を固定することによって花壇Ａの設置位置を移動可能とするとともに移動を安定且つ容易になし得るようにしてあり、これによって花壇Ａは、例えば季節や時間帯によって屋外で設置場所を変更したり、必要に応じて屋外とロビー等屋内との間で設置場所を変更して使い勝手を良好にし得るようにしてある。
【００１８】
左右に一対の支柱４０は上記水平支持枠３０の両端を架設支持することによって、該水平支持枠３０により下支え支持した花壇テーブル１０の後部を支持して、該花壇テーブル１０を所定高さに設置するとともに該花壇テーブル１０の上記底上げ段部１４の下方空間を車椅子進入スペース６０としてあり、例えば支柱４０は、上記底上げ段部１４を、車椅子に乗った人の膝が無理なく出入できる、例えば７０ｃｍ程度の高さとなるようにして、上記車椅子進入スペース６０を形成するようにし、このとき上記支柱４０による支持を花壇テーブル１０の後部とすることによって車椅子進入スペース６０の両側を開放し、車椅子の進入乃至移動の自由度を高度に確保したものとしてある。
【００１９】
このとき本例にあって上記左右に一対の支柱４０への水平支持枠３０両端の架設固定は、これを、上記支柱４０の対向面側上端に切欠き設置した上向き開口の切欠き孔４４への水平支持枠３０両端の嵌合支持と上記支柱４０に設置したブラケット４５による水平支持枠３０両端の嵌合支持とを併用して行なうとともに上記ブラケット４５を垂直の支柱支持片４６と該支柱支持片４６上端に水平に配置した上向き開口コ字状の受座４７とを具備して形成し、その支柱支持片４６を上記切欠き孔４４から支柱４０内に挿入固定し且つ上記受座４７を上記切欠き孔４４から支柱４０対向方向に突出するように支柱４０に該ブラケット４５を設置し、上記切欠き孔４４への水平支持枠３０両端の嵌合支持を該ブラケット４５上にこれを介して行なうとともに上記ブラケット４５への嵌合支持をそのコ字状の受座４７に水平支持枠３０両端を嵌合して行ない且つこれら水平支持枠３０と受座４７とを締着固定することによって行なったものとしてある。
【００２０】
即ち支柱４０の切欠き孔４４は、上記水平支持枠３０の外形に合せて上向きに開口したコ字状に支柱４０上端を切り欠くことによって形成してあり、ブラケット４５はアルミ、スチール等の金属製にして上記切欠き孔４４の幅に合せた幅を有する上記垂直の支柱支持片４６と水平支持枠３０の前後幅に合せて断面コ字状をなす水平支持枠３０嵌合用の上記コ字状の受座４７を前後方向にＬ字状をなすように一体に備えたものとしてあり、上記Ｌ字状の隅部をなす支柱支持片４６の上端を切欠き孔４４の下端縁部に引掛載置状にして該支柱支持片４６を支柱４０内側の上記切欠き孔４４下部に重合するように挿入してボルト等の固定金具５０を支柱支持片４６に設置した雌ネジに螺入締着することによって該ブラケット４５を支柱４０に固定する一方、切欠き孔４４から支柱４０対向方向に向けて突出した受座４７に水平支持枠３０を嵌合し、該受座４７の底面から上向きのボルトによる固定金具５０を水平支持枠３０の中空部に挿入した裏板４８に設置した雌ネジに螺入締着することによって該水平支持枠３０とブラケット４５を固定したものとしてあり、これによって上記花壇テーブル１０を下支え支持した水平支持枠３０を簡易且つ確実に支柱４０に固定してその架設を行なうようにしてある。
【００２１】
補強横桟４３は、上記花壇Ａを可動設置用として、支柱４０下端が固定されないことによって左右に一対の支柱４０が花壇テーブル１０の荷重を確実に支持し、支柱４０が拡開したり、変形したりする可能性を解消するために、上記左右に一対の支柱４０の上下中間位置に該一対の支柱４０を連結するように架設固定してあり、本例にあって該補強横桟４３は上下に単一のものとして架設固定してある。
【００２２】
図中１７は上記排水孔１６からの排水パイプであり、該排水パイプ１７は、これを上記左右に一対のうち一方の支柱４０に添設支持してあり、本例にあって該添設支持は、支柱４０にバンド状の固定具を設置し、該固定具によって排水パイプ１７を被嵌支持することによって行なってある。
【００２３】
図８及び図９は、他の例を示すもので、本例にあって、上記左右に一対の支柱４０を、下端を地中埋込設置用の埋込支柱とすることによって花壇Ａを定位置設置用としてあり、本例にあって花壇テーブル１０、水平支持枠３０及び支柱４０を上記例と共通に用いる一方、上記キャスター付きスタンド及び補強横桟を用いることなく、支柱４０の下端を花壇Ａの設置場所において地中に埋込設置することによって立設して上記花壇テーブル１０を支持するようにし、これによって花壇Ａを定位置に設置するものとしてある。その余は上記例と変らないので同一符号を付してその説明を省略する。
【００２４】
このように構成した花壇Ａは、車椅子進入スペース６０に車椅子を進入可能としたことによって、車椅子利用者が車椅子に座した状態で花壇テーブル１０に近寄り、花壇テーブル１０の土に触れたり、草花等の植物の植栽を行なうことができるとともに上記花壇テーブル１０を平面横長矩形としたことによってその設置スペースを可及的に小さくし、また上記花壇テーブル１０の支柱４０支持を可及的に簡易な構造によって強度に優れたものとすることができるとともに安定した設置をなし得て使い勝手の良好なものとすることができる。
【００２５】
図示した例は以上のとおりとしたが、花壇テーブルを金属製のものとすること、花壇を前後左右に複数隣接して設置するように用いること、水平支持枠をその上端前後に張出固定条を一体に備えて形成すること等を含めて、本発明の実施に当って、花壇テーブル、引寄せ連結ボルト、水平支持枠、その張出固定条、支柱、車椅子進入スペース、必要に応じて用いる保水パネル、排水パイプ、スタンド、キャスター、ブラケット等の各具体的形状、構造、材質、これらの関係、これらに対する付加等は、上記発明の要旨に反しない限り様々の形態のものとすることができる。
【００２６】
【発明の効果】
本発明は以上のとおりに構成したから、請求項１に記載の発明は、車椅子進入スペースに車椅子を進入可能としたことによって、車椅子利用者が車椅子に座した状態で花壇テーブルに近寄り、花壇テーブルの土に触れたり、草花等の植物の植栽を行なうことができるとともに上記花壇テーブルを平面横長矩形としたことによってその設置スペースを可及的に小さくし、また上記花壇テーブルの支柱支持及びこれに用いる水平支持枠の支柱への架設を可及的に簡易な構造によって安定性と強度に優れるようにして、安定した設置をなし得て使い勝手の良好な車椅子利用者用花壇を提供することができる。
【００２７】
請求項２に記載の発明は、上記に加えて、植栽した草花等の根腐れを防止するとともにその排水を外観よく安定してなし得るものとすることができる。
【００２８】
請求項３に記載の発明は、同じく上記に加えて、花壇を安定した固定設置の形態のものとすることができる。
【００２９】
請求項４に記載の発明は、同じく上記に加えて、花壇を安定した可動の形態のものとすることができる。
【図面の簡単な説明】
【図１】  車椅子利用者用花壇の正面図である。
【図２】  車椅子利用者用花壇の側面図である。
【図３】  車椅子利用者用花壇の平面図である。
【図４】  保水パネル設置状態を示す花壇テーブルの縦断面図である。
【図５】  花壇テーブルの支持状態を示す部分拡大縦断面図である。
【図６】  支柱と水平支持枠の関係を示す部分拡大縦断面図である。
【図７】  支柱とブラケットの関係を示す分解斜視図である。
【図８】  他の例に係る車椅子利用者用花壇の正面図である。
【図９】  図８の車椅子利用者用花壇の側面図である。
【符号の説明】
Ａ  車椅子利用者用花壇
１０  花壇テーブル
１３  固定面
１４  底上げ段部
１６  排水孔
１７  排水パイプ
１８  引寄せ連結ボルト
２０  保水パネル
３０  水平支持枠
３２  張出固定条
４０  支柱
４１  スタンド
４２  キャスター
４３  補強横桟
４４  切欠き孔
４５  ブラケット
６０  車椅子進入スペース
【図１】
0004257050.tif 000002
【図２】
0004257050.tif 000003
【図３】
0004257050.tif 000004
【図４】
0004257050.tif 000005
【図５】
0004257050.tif 000006
【図６】
0004257050.tif 000007
【図７】
0004257050.tif 000008
【図８】
0004257050.tif 000009
【図９】
0004257050.tif 000010